(57)【要約】【課題】搬送途中で原稿の搬送不良が発生した際に同原稿が受けるダメージの増大を抑制することができる画像読取装置を提供する。【解決手段】画像読取装置は、搬送経路に沿って搬送される原稿を挟持可能なローラー対を有する搬送装置２０と、搬送されている原稿の画像を読み取る読取部３１，３２と、ローラー対を構成する２つのローラーによる原稿の挟持圧を調整するロック装置４０と、原稿が搬送されている最中に、同原稿の搬送不良を検出する搬送不良検出部６２と、原稿の搬送不良が検出されたときには、ロック装置４０を制御することにより各ローラーによる原稿の挟持圧を低くする調整制御部６３とを備える。【選択図】図６
2016149676.tif 000002
【特許請求の範囲】
【請求項１】
セット部にセットされた原稿を搬送経路に沿って搬送する搬送部であって、搬送される原稿を挟持可能なローラー対を有する搬送部と、
前記搬送部に搬送されている原稿の画像を読み取る読取部と、
前記搬送部を制御することにより原稿を搬送方向下流に搬送させる搬送制御部と、を備えた画像読取装置において、
前記ローラー対を構成する２つのローラーによる原稿の挟持圧を低くする調整部と、
前記搬送部によって原稿が搬送されている最中に、同原稿の搬送不良を検出する搬送不良検出部と、
前記搬送部による原稿の搬送不良が検出されたときには、前記調整部を作動させることにより前記各ローラーによる原稿の挟持圧を低くする調整制御部と、を備える
ことを特徴とする画像読取装置。
【請求項２】
前記調整部は、前記ローラー対を構成する前記各ローラーのうち一方のローラーを他方のローラーから離れる方向に相対移動させるように構成されており、
前記調整制御部は、前記調整部を作動させることにより前記各ローラーによる原稿の挟持を解消させる
ことを特徴とする請求項１に記載の画像読取装置。
【請求項３】
前記搬送部及び前記読取部が内部に収容されているとともに、内部と外部とを連通する開口が形成されている筐体と、
前記ローラー対を構成する前記各ローラーのうち、一方を第１のローラーとし、他方を第２のローラーとした場合、前記第１のローラーを回転可能に支持するとともに、前記筐体の前記開口を閉塞するカバー部材と、を備え、
前記調整部は、前記筐体の前記開口を閉塞するために前記カバー部材が配置される位置を基準位置とした場合、同カバー部材を同基準位置よりも開放側に変位させるカバー変位部を含み、
前記カバー部材が前記基準位置から開放側に変位されると、前記第１のローラーが前記第２のローラーから離れる方向に変位するようになっており、
前記調整制御部は、前記搬送不良検出部によって前記搬送部による原稿の搬送不良が検出されたときに、前記カバー変位部を作動させることにより前記カバー部材を前記基準位置から開放側に変位させる
ことを特徴とする請求項１又は請求項２に記載の画像読取装置。
【請求項４】
前記搬送部は原稿を搬送するための動力源を備え、
前記第２のローラーは、前記動力源からの駆動力が伝達される駆動ローラーである一方で、前記第１のローラーは、同第２のローラーを介して前記動力源からの動力が伝達される従動ローラーである
ことを特徴とする請求項３に記載の画像読取装置。
【請求項５】
前記搬送不良検出部は、前記動力源に流れる電流値が不良判定電流値よりも大きいときに、前記搬送部による原稿の搬送不良を検出する
ことを特徴とする請求項４に記載の画像読取装置。
【請求項６】
前記搬送不良検出部は、原稿の後端が前記読取部よりも搬送方向下流に位置するときには、前記搬送部による原稿の搬送不良の検出を行わない
ことを特徴とする請求項５に記載の画像読取装置。
【請求項７】
前記搬送制御部は、原稿の後端が前記読取部よりも搬送方向下流に位置する状況下で、前記搬送不良検出部によって前記搬送部による原稿の搬送不良が検出されても、同原稿の搬送を継続する
ことを特徴とする請求項５に記載の画像読取装置。
【請求項８】
前記搬送制御部は、
複数の原稿の画像を連続して前記読取部に読み取らせる場合、先に搬送された原稿の後端が前記読取部よりも搬送方向下流に位置している状況下で前記搬送不良検出部によって前記搬送部による原稿の搬送不良が検出されたときには、
同原稿の搬送を継続するものの、同搬送部による後続の原稿の搬送を中止する
ことを特徴とする請求項７に記載の画像読取装置。
【請求項９】
前記画像読取装置が載置される面を載置面とした場合、
前記セット部は、搬送方向下流側の部位が搬送方向上流側の部位よりも下側に位置するように同載置面に対して斜状をなして配置されており、
前記基準位置よりも開放側の位置を開放位置とした場合、同開放位置は、前記カバー部材が同開放位置に位置する場合であっても、前記セット部から自重によって原稿が前記筐体内に進入することを規制可能な位置であり、
前記カバー変位部は、前記カバー部材を前記基準位置から前記開放位置に変位させるように構成されている
ことを特徴とする請求項３〜請求項８のうち何れか一項に記載の画像読取装置。
【請求項１０】
前記搬送制御部は、前記搬送不良検出部による原稿の搬送不良の検出によって画像の読み取りが中断された原稿の画像の再読み取りを行うときには、前記搬送部を制御することにより、同原稿の搬送速度を前回の画像の読み取り時よりも小さくする
ことを特徴とする請求項１〜請求項９のうち何れか一項に記載の画像読取装置。
【請求項１１】
前記読取部によって読み取られた画像に関する画像データを生成するデータ生成部を備え、
前記データ生成部によって生成される画像データに基づいた画像の解像度は、読み取り時における原稿の搬送速度が小さいほど高くなるようになっているものの、
前記データ生成部は、
前記搬送不良検出部による原稿の搬送不良の検出によって画像の読み取りが中断された原稿の画像の再読み取りを行うときには、
原稿の搬送速度が前回の画像の読み取り時よりも小さくても、同前回の画像の読み取り時と等しい解像度の画像に関する画像データを生成する
ことを特徴とする請求項１０に記載の画像読取装置。
【請求項１２】
前記データ生成部は、
前記搬送不良検出部による原稿の搬送不良の検出によって画像の読み取りが中断された原稿の画像の再読み取りを行うときには、
前記読取部による前回の画像の読み取りで途中まで読み取った画像と、前記再読み取りによって前記読取部が読み取った画像とを合成した画像に関する画像データを生成する
ことを特徴とする請求項１１に記載の画像読取装置。
【請求項１３】
前記搬送制御部は、
前記搬送不良検出部によって先の原稿の搬送不良が検出されたために同先の原稿の画像の読み取りが中止され、その後に同先の原稿の画像の再読み取りが行われ、同先の原稿の画像の再読み取りが完了した後に別の原稿の画像の読み取りを行うときには、
同別の原稿の搬送速度を、前記再読み取りを行ったときにおける前記先の原稿の搬送速度よりも大きくする
ことを特徴とする請求項１０〜請求項１２のうち何れか一項に記載の画像読取装置。
【発明の詳細な説明】
【技術分野】
【０００１】
本発明は、搬送部によって搬送されている原稿の画像を読み取る読取部を備える画像読取装置に関する。
【背景技術】
【０００２】
特許文献１には、搬送装置によって搬送されている原稿の画像を読取部に読み取らせる画像読取装置の一例が開示されている。こうした画像読取装置の搬送装置には、原稿の搬送経路に沿って複数のローラー対が配置されている。こうしたローラー対は、駆動源であるモーターから駆動力が伝達される駆動ローラーと、同駆動ローラーとともに原稿を挟持する従動ローラーとを有している。そして、モーターの駆動によってローラー対を構成する各ローラーが回転することにより、原稿が搬送方向下流に送り出されるようになっている。
【先行技術文献】
【特許文献】
【０００３】
【特許文献１】特開２００６−２５４２１２号公報
【発明の概要】
【発明が解決しようとする課題】
【０００４】
ところで、上記のような画像読取装置にあっては、搬送装置による原稿の搬送途中で、紙ジャムなどの搬送不良が発生するおそれがある。こうした原稿の搬送不良が発生した場合、ローラー対による原稿の送り出しが継続されることにより、同原稿が受けるダメージが大きくなりやすい。そのため、例えば、モーターの駆動を停止させることにより、搬送不良に伴って原稿が受けるダメージの増大を抑制することができる。
【０００５】
しかしながら、モーターに対して駆動停止を制御装置が指示してから、モーターに流れる電流値が実際に「０（零）」になるまでの間にはタイムラグがある。また、モーターに流れる電流値が実際に「０（零）」になっても慣性力がローラー対に働く。そのため、原稿の搬送不良が検出され、モーターの駆動停止が指示された以降でも、しばらくの間、ローラーの回転が継続されることとなり、各ローラーの回転量が多いほど原稿が受けるダメージが大きくなる。
【０００６】
本発明の目的は、搬送途中で原稿の搬送不良が発生した際に同原稿が受けるダメージの増大を抑制することができる画像読取装置を提供することにある。
【課題を解決するための手段】
【０００７】
上記目的を達成するための画像読取装置は、セット部にセットされた原稿を搬送経路に沿って搬送する搬送部であって、搬送される原稿を挟持可能なローラー対を有する搬送部と、前記搬送部に搬送されている原稿の画像を読み取る読取部と、前記搬送部を制御することにより原稿を搬送方向下流に搬送させる搬送制御部と、を備えた画像読取装置において、前記ローラー対を構成する２つのローラーによる原稿の挟持圧を低くする調整部と、前記搬送部によって原稿が搬送されている最中に、同原稿の搬送不良を検出する搬送不良検出部と、前記搬送部による原稿の搬送不良が検出されたときには、前記調整部を作動させることにより前記各ローラーによる原稿の挟持圧を低くする調整制御部と、を備える。
【０００８】
上記構成によれば、画像を読取部に読み取らせるべく原稿が搬送されている最中で、同原稿の搬送不良が検出されたときには、調整部の作動によって２つローラーによる原稿の挟持圧が低くされる。これにより、搬送不良の検出後で各ローラーの回転が継続されても、挟持圧の低下によってローラーの回転力が原稿に伝達されにくくなり、原稿が搬送方向下流に送り出されにくくなる。その結果、搬送不良の検出後におけるローラー対による原稿の送り出し量が少なくなり、搬送不良に伴って原稿が受けるダメージが大きくなりにくい。したがって、搬送途中で原稿の搬送不良が発生した際に同原稿が受けるダメージの増大を抑制することができるようになる。
【０００９】
上記画像読取装置において、前記調整部は、前記ローラー対を構成する前記各ローラーのうち一方のローラーを他方のローラーから離れる方向に相対移動させるように構成されており、前記調整制御部は、前記調整部を作動させることにより前記各ローラーによる原稿の挟持を解消させることが好ましい。
【００１０】
上記構成によれば、原稿の搬送不良が検出されたときには、調整部の作動によってローラー対を構成する一方のローラーが他方のローラーから相対的に離され、２つのローラーによる原稿の挟持が解消される。その結果、搬送不良の検出後で各ローラーの回転が継続されても、ローラー対によって原稿が送り出されにくくなる。したがって、搬送不良に伴って原稿が受けるダメージの増大を低減させることが可能となる。
【００１１】
上記画像読取装置は、前記搬送部及び前記読取部が内部に収容されているとともに、内部と外部とを連通する開口が形成されている筐体と、前記ローラー対を構成する前記各ローラーのうち、一方を第１のローラーとし、他方を第２のローラーとした場合、前記第１のローラーを回転可能に支持するとともに、前記筐体の前記開口を閉塞するカバー部材と、を備え、前記調整部は、前記筐体の前記開口を閉塞するために前記カバー部材が配置される位置を基準位置とした場合、同カバー部材を同基準位置よりも開放側に変位させるカバー変位部を含み、前記カバー部材が前記基準位置から開放側に変位されると、前記第１のローラーが前記第２のローラーから離れる方向に変位するようになっており、前記調整制御部は、前記搬送不良検出部によって前記搬送部による原稿の搬送不良が検出されたときに、前記カバー変位部を作動させることにより前記カバー部材を前記基準位置から開放側に変位させることが好ましい。
【００１２】
上記構成によれば、カバー変位部の作動によってカバー部材を基準位置から開放側に変位させることにより、同カバー部材に支持されている第１のローラーが第２のローラーから離れる方向に変位され、第１のローラーと第２のローラーとによる原稿の挟持圧が低くされる。そのため、カバー部材を基準位置から変位させることにより、各ローラーによる原稿の挟持圧を低くすることが可能となる。
【００１３】
上記画像読取装置において、前記搬送部は原稿を搬送するための動力源を備え、前記第２のローラーは、前記動力源からの駆動力が伝達される駆動ローラーである一方で、前記第１のローラーは、同第２のローラーを介して前記動力源からの動力が伝達される従動ローラーであることが好ましい。
【００１４】
上記構成によれば、従動ローラーである第１のローラーがカバー部材に支持されているため、駆動ローラーである第２のローラーをカバー部材が支持している場合と比較し、カバー部材にかかる荷重を少なくすることができ、ひいてはカバー部材を容易に変位させることが可能となる。
【００１５】
上記画像読取装置において、前記搬送不良検出部は、前記動力源に流れる電流値が不良判定電流値よりも大きいときに、前記搬送部による原稿の搬送不良を検出することが好ましい。
【００１６】
原稿の搬送不良が発生すると、動力源に加わる負荷が大きくなり、同動力源に流れる電流値が大きくなる。そこで、上記構成では、動力源に流れる電流値が不良判定電流値よりも大きいときに、原稿の搬送不良を検出するようにした。この場合、搬送不良の発生していない定常時に動力源に流れる電流値よりも不良判定電流値を大きい値に設定することにより、搬送途中の原稿の搬送不良を検出することが可能となる。
【００１７】
上記画像読取装置において、前記搬送不良検出部は、原稿の後端が前記読取部よりも搬送方向下流に位置するときには、前記搬送部による原稿の搬送不良の検出を行わないことが好ましい。
【００１８】
原稿の後端が読取部よりも搬送方向下流に位置していることは、同原稿の画像の読み取りが完了していることを意味している。そして、画像の読み取りが完了した原稿は、筐体外に排出される。そこで、上記構成では、原稿の後端が読取部よりも搬送方向下流に位置するときには、同原稿の画像の読み取りが既に完了していると判断することができるため、搬送部による原稿の搬送不良の検出を行わないようにした。その結果、画像の読み取り済みの原稿の不要な搬送停止を抑制することが可能となる。
【００１９】
上記画像読取装置において、前記搬送制御部は、原稿の後端が前記読取部よりも搬送方向下流に位置する状況下で、前記搬送不良検出部によって前記搬送部による原稿の搬送不良が検出されても、同原稿の搬送を継続することが好ましい。
【００２０】
原稿の後端が読取部よりも搬送方向下流に位置していることは、同原稿の画像の読み取りが完了していることを意味している。そして、画像の読み取りが完了した原稿は、筐体外に排出される。そこで、上記構成では、原稿の後端が読取部よりも搬送方向下流に位置するときには、同原稿の画像の読み取りが既に完了していると判断することができるため、搬送部による原稿の搬送不良が検出されたとしても同原稿の搬送（すなわち、排出）を継続するようにした。その結果、画像の読み取り済みの原稿の不要な搬送停止を抑制することが可能となる。
【００２１】
上記画像読取装置において、前記搬送制御部は、複数の原稿の画像を連続して前記読取部に読み取らせる場合、先に搬送された原稿の後端が前記読取部よりも搬送方向下流に位置している状況下で前記搬送不良検出部によって前記搬送部による原稿の搬送不良が検出されたときには、同原稿の搬送を継続するものの、同搬送部による後続の原稿の搬送を中止することが好ましい。
【００２２】
先の原稿の画像の読み取りが完了し、同先の原稿を筐体外に排出する過程で同先の原稿の搬送不良が検出された場合、後続の原稿の搬送をそのまま行うと、同後続の原稿の搬送不良が発生し、同後続の原稿がダメージを受けてしまうおそれがある。そこで、上記構成では、複数の原稿の画像を連続して読取部に読み取らせる場合、先の原稿の後端が読取部よりも搬送方向下流に位置している状況下で同先の原稿の搬送不良が検出されたときには、搬送部による後続の原稿の搬送を中止するようにした。これにより、後続の原稿がダメージを受ける事象を生じさせにくくすることが可能となる。
【００２３】
上記画像読取装置において、前記画像読取装置が載置される面を載置面とした場合、前記セット部は、搬送方向下流側の部位が搬送方向上流側の部位よりも下側に位置するように同載置面に対して斜状をなして配置されており、前記基準位置よりも開放側の位置を開放位置とした場合、同開放位置は、前記カバー部材が同開放位置に位置する場合であっても、前記セット部から自重によって原稿が前記筐体内に進入することを規制可能な位置であり、前記カバー変位部は、前記カバー部材を前記基準位置から前記開放位置に変位させるように構成されていることが好ましい。
【００２４】
上記構成によれば、２つローラーによる原稿の挟持力を低下させるべくカバー部材を基準位置から開放位置に変位させたとしても、セット部にセットされている原稿が、自重によって筐体内に進入してしまうことを抑制することが可能となる。
【００２５】
上記画像読取装置において、前記搬送制御部は、前記搬送不良検出部による原稿の搬送不良の検出によって画像の読み取りが中断された原稿の画像の再読み取りを行うときには、前記搬送部を制御することにより、同原稿の搬送速度を前回の画像の読み取り時よりも小さくすることが好ましい。
【００２６】
原稿の搬送不良によって画像の読み取りが中断された原稿はダメージを受けている可能性がある。また、原稿を搬送するためのローラーの回転速度が大きいほど、２つのローラーによって挟持されたときに原稿に作用する負荷が大きくなりやすい。そこで、上記構成では、このようにダメージを受けている可能性のある原稿の画像の再読み取りを行うときには、同原稿を前回の画像の読み取り時よりも低速で搬送するようにした。これにより、画像の再読み取り時では原稿がダメージを受けにくくすることが可能となる。
【００２７】
上記画像読取装置は、前記読取部によって読み取られた画像に関する画像データを生成するデータ生成部を備え、前記データ生成部によって生成される画像データに基づいた画像の解像度は、読み取り時における原稿の搬送速度が小さいほど高くなるようになっているものの、前記データ生成部は、前記搬送不良検出部による原稿の搬送不良の検出によって画像の読み取りが中断された原稿の画像の再読み取りを行うときには、原稿の搬送速度が前回の画像の読み取り時よりも小さくても、同前回の画像の読み取り時と等しい解像度の画像に関する画像データを生成することが好ましい。
【００２８】
原稿の搬送速度を小さくするほど画像の読み取りによって生成することができる画像データに基づいた画像の解像度が高くなる。そこで、上記構成では、画像の読み取り途中で原稿の搬送不良が検出され、その後に同原稿の画像の再読み取りを行うべく原稿が低速で搬送される場合であっても、生成される画像データに基づいた画像の解像度を、搬送不良が発生した際に生成されるべき画像データに基づいた画像の解像度と等しくなるようにした。これにより、ユーザーが所望する解像度の画像に関する画像データを同ユーザーに提供することが可能となる。
【００２９】
上記画像読取装置において、前記データ生成部は、前記搬送不良検出部による原稿の搬送不良の検出によって画像の読み取りが中断された原稿の画像の再読み取りを行うときには、前記読取部による前回の画像の読み取りで途中まで読み取った画像と、前記再読み取りによって前記読取部が読み取った画像とを合成した画像に関する画像データを生成することが好ましい。
【００３０】
ダメージを受けていない原稿の画像を読み取ることによって生成された画像データのほうが、ダメージを受けている原稿の画像を読み取ることによって生成された画像データよりも精度が高い可能性がある。そこで、上記構成では、先の画像の読み取り時に途中まで読み取った画像と、画像の再読み取り時に読み取った画像とを合成した画像に関する画像データを生成し、同画像データをユーザーに提供するようにした。これにより、ダメージを受けている原稿の画像に関する画像データをユーザーに提供する場合よりも、精度の高い画像データをユーザーに提供することが可能となる。
【００３１】
上記画像読取装置において、前記搬送制御部は、前記搬送不良検出部によって先の原稿の搬送不良が検出されたために同先の原稿の画像の読み取りが中止され、その後に同先の原稿の画像の再読み取りが行われ、同先の原稿の画像の再読み取りが完了した後に別の原稿の画像の読み取りを行うときには、同別の原稿の搬送速度を、前記再読み取りを行ったときにおける前記先の原稿の搬送速度よりも大きくすることが好ましい。
【００３２】
上記構成によれば、複数の原稿を連続して画像の読み取りを行う場合、搬送不良が発生したために画像の再読み出しを行う原稿の搬送時には搬送速度が小さくされるものの、それ以外の原稿の搬送時には搬送速度が小さくされない。したがって、画像読取装置のスループットの低下を抑制することが可能となる。
【図面の簡単な説明】
【００３３】
【図１】画像読取装置の第１の実施形態の概略構成を示す模式図。
【図２】同画像読取装置の搬送装置及びその周辺部材を示す側面図。
【図３】カバー部材が開放側に回動した様子を示す同画像読取装置の模式図。
【図４】（ａ）〜（ｃ）は、同画像読取装置のロック装置を示す模式図。
【図５】カバー部材が開放位置に位置する様子を示す同画像読取装置の模式図。
【図６】同画像読取装置の制御装置の機能構成を説明するブロック図。
【図７】同画像読取装置で原稿の画像の読み取りを行う際の処理手順を説明するフローチャート。
【図８】同実施形態の画像読取装置で原稿の搬送不良を検出するための処理手順を説明するフローチャート。
【図９】第２の実施形態の画像読取装置において、原稿の画像の読み取りを行う際の処理手順の一部を説明するフローチャート。
【図１０】（ａ）〜（ｄ）は、２つの画像を合成する様子を説明する模式図。
【発明を実施するための形態】
【００３４】
（第１の実施形態）
以下、画像読取装置を具体化した第１の実施形態を図１〜図８に従って説明する。
図１に示すように、本実施形態の画像読取装置１１は、載置面１００に載置される筐体１２を備えている。筐体１２の図中右側を「後側」というとともに、図中左側を「前側」というものとする。こうした筐体１２には開口の一例である上部開口１２１が形成されており、ユーザーは、この上部開口１２１から筐体１２内に手を進入させ、筐体１２内で作業を行うことができる。
【００３５】
また、筐体１２は、上部開口１２１を閉塞するカバー部材１３を回動可能に支持している。すなわち、上部開口１２１を閉塞している際におけるカバー部材１３の位置を「基準位置」とした場合、カバー部材１３は、基準位置から図１における矢印方向に回動可能である。
【００３６】
筐体１２の上部後側には、画像の読み取りが未だ行われていない原稿ＭＳがセットされるセット部１４が設けられている。このセット部１４に複数の原稿ＭＳがセットされる場合、セット部１４上で各原稿ＭＳが積層されることとなる。また、筐体１２の内部には、原稿ＭＳを搬送する搬送部としての搬送装置２０と、搬送装置２０によって搬送されている原稿ＭＳの画像を読み取る読取装置３０とが設けられている。さらに、筐体１２の下部前側には、筐体１２内から排出された原稿ＭＳが載置される排出部１５が設けられている。すなわち、筐体１２の上部後側が原稿ＭＳの搬送方向上流側となり、筐体１２の下部前側が原稿ＭＳの搬送方向下流となる。そして、セット部１４にセットされている原稿ＭＳが１つずつ筐体１２内に進入し、所定の搬送経路に沿って搬送される。そして、搬送されつつ原稿ＭＳの画像が読み取られ、画像の読み取りが完了した原稿ＭＳが排出部１５に排出される。
【００３７】
図１及び図２に示すように、搬送装置２０は、原稿の搬送方向における上流から下流に向けて順に配置される、送り込みローラー２１、送り出しローラー対２２、搬送ローラー対２３、排出ローラー対２４を備えている。また、搬送装置２０は、原稿ＭＳを搬送するための駆動源として、送出モーター２５と、搬送モーター２６とを備えている。送出モーター２５からの駆動力は送り込みローラー２１に伝達され、搬送モーター２６からの駆動力は送り出しローラー対２２、搬送ローラー対２３及び排出ローラー対２４に伝達される。
【００３８】
送り込みローラー２１は、図１における矢印方向に回転することにより、セット部１４にセットされている複数の原稿ＭＳのうち最下位の原稿ＭＳを筐体１２の内部に送り込む。
【００３９】
なお、本実施形態の画像読取装置１１にあっては、セット部１４は、図中左側となる搬送方向下流の部位が図中右側となる搬送方向上流の部位よりも下方に位置するように載置面１００に対して斜状をなすように配置されている。そのため、セット部１４にセットされている原稿ＭＳが自重によって筐体１２内に進入しやすくなっている。そこで、本実施形態の画像読取装置１１の搬送装置２０には、送り込みローラー２１よりも上方にガイド部材２７が配置されている。このガイド部材２７によって、最下位の原稿ＭＳ以外の原稿の筐体１２内への進入が制限されている。ちなみに、ガイド部材２７はカバー部材１３に支持されている。
【００４０】
送り出しローラー対２２は、搬送モーター２６に駆動連結されている駆動ローラー２２１と、駆動ローラー２２１を通じて搬送モーター２６からの駆動力が伝達される従動ローラー２２２とを有している。この従動ローラー２２２は、カバー部材１３に回転可能に支持されている。そして、カバー部材１３が基準位置に位置している場合、駆動ローラー２２１と従動ローラー２２２とによって原稿ＭＳを挟持し、両ローラー２２１，２２２が矢印方向に回転することによって原稿ＭＳが搬送ローラー対２３に向けて送り出される。すなわち、この送り出しローラー対２２では、従動ローラー２２２が第１のローラーに相当し、駆動ローラー２２１が第２のローラーに相当する。
【００４１】
送り出しローラー対２２の従動ローラー２２２は、トルクリミッターなどのトルク制限機構によって一定の回転負荷が付与されているリタードローラーである。そのため、複数の原稿ＭＳが重なった状態でセット部１４から筐体１２内に送り込まれた場合、すなわち複数の原稿ＭＳが重送されている場合、この送り出しローラー対２２によって、１つの原稿ＭＳのみが搬送方向下流に送り出されるようになっている。
【００４２】
搬送ローラー対２３は、読取装置３０よりも図中右側である搬送方向上流に配置されている。こうした搬送ローラー対２３は、搬送モーター２６に駆動連結されている駆動ローラー２３１と、駆動ローラー２３１を通じて搬送モーター２６からの駆動力が伝達される従動ローラー２３２とを有している。この従動ローラー２３２は、カバー部材１３に回転可能に支持されている。そして、カバー部材１３が基準位置に位置している場合、駆動ローラー２３１と従動ローラー２３２とによって原稿ＭＳを挟持し、両ローラー２３１，２３２が矢印方向に回転することによって原稿ＭＳが読取装置３０に向けて搬送される。すなわち、この搬送ローラー対２３では、従動ローラー２３２が第１のローラーに相当し、駆動ローラー２３１が第２のローラーに相当する。
【００４３】
排出ローラー対２４は、読取装置３０よりも図中左側である搬送方向下流に配置されている。こうした排出ローラー対２４は、搬送モーター２６に駆動連結されている駆動ローラー２４１と、駆動ローラー２４１を通じて搬送モーター２６からの駆動力が伝達される従動ローラー２４２とを有している。この従動ローラー２４２は、カバー部材１３に回転可能に支持されている。そして、カバー部材１３が基準位置に位置している場合、駆動ローラー２４１と従動ローラー２４２とによって原稿ＭＳを挟持し、両ローラー２４１，２４２が矢印方向に回転することによって原稿ＭＳが筐体１２外に排出される。すなわち、この排出ローラー対２４では、従動ローラー２４２が第１のローラーに相当し、駆動ローラー２４１が第２のローラーに相当する。
【００４４】
読取装置３０は、搬送経路に沿って搬送される原稿ＭＳを挟んだ上下両側に配置される２つの読取部３１，３２を有している。各読取部３１，３２のうち、下側に位置する読取部が第１の読取部３１であり、上側に位置する読取部が第２の読取部３２である。すなわち、第１の読取部３１が原稿ＭＳの一面（図中下面）の画像を読み取り、第２の読取部３２が原稿の他面（図中上面）の画像を読み取る。なお、読取部としては、例えば、密着型イメージセンサーモジュール（ＣＩＳＭ：Contact Image Sensor Module）を挙げることができる。もちろん、ＣＩＳＭ以外の他のモジュールを読取部として採用してもよい。
【００４５】
上述したように、各ローラー対２２〜２４の従動ローラー２２２，２３２，２４２及びガイド部材２７は、カバー部材１３に支持されている。そのため、図３に示すように、カバー部材１３が基準位置から開放側に回動され、筐体１２の内部と外部とが上部開口１２１を通じて連通されると、各ローラー対２２〜２４の従動ローラー２２２，２３２，２４２及びガイド部材２７もまた変位される。すなわち、従動ローラー２２２，２３２，２４２は、駆動ローラー２２１，２３１，２４１から離れる方向に変位される。この図３に示す状態では、ローラー対２２〜２４による原稿ＭＳの挟持が不能となる。
【００４６】
本実施形態の画像読取装置１１には、図４（ａ），（ｂ），（ｃ）に示すように、カバー部材１３を基準位置で保持するためのロック装置４０が設けられている。ロック装置４０は、カバー部材１３の上部後側に支持されているロックレバー４１と、筐体１２に支持されているロックバー４２と、ロックバー４２を図中左右方向に進退移動させるアクチュエーター４３とを備えている。
【００４７】
ロックレバー４１は、カバー部材１３に設けられている支軸４１１を中心に回転可能であるとともに、図示しない付勢部材によって図中反時計回り方向Ｘに付勢されている。こうしたロックレバー４１には、支軸４１１から径方向外側に延出している把持部４１２及びレバー部４１３が設けられている。把持部４１２は、ユーザーによって操作される部位である。図４（ａ）に示すように、レバー部４１３は、カバー部材１３が基準位置に位置しているとき、ロックバー４２に係止されている。これにより、カバー部材１３の基準位置から開放側への変位が規制される。そして、こうした状態でロックレバー４１の把持部４１２がユーザーによって操作され、ロックレバー４１が図中時計回り方向に回動されると、レバー部４１３とロックバー４２との係止が解消される。すると、カバー部材１３を基準位置から開放側に回動させることが可能となる（図３参照）。
【００４８】
アクチュエーター４３は、画像読取装置１１の制御装置６０によって駆動される。そして、図４（ａ），（ｂ）に示すように、このアクチュエーター４３の駆動を制御することにより、ロックバー４２の進退方向における位置を調整することができる。すなわち、図４（ａ）に示す状態からロックバー４２が移動されると、図４（ｂ）に示すように、ロックバー４２とロックレバー４１のレバー部４１３との係止が解消される。すると、ロックレバー４１は、付勢部材からの付勢力によって図中反時計回り方向Ｘに回動される。
【００４９】
そして、アクチュエーター４３の駆動によって、４（ｂ）に示す状態からロックバー４２が元の位置に戻されると、ロックレバー４１のレバー部４１３にロックバー４２が接触する。すると、４（ｃ）に示すように、ロックレバー４１がロックバー４２によって図中上方に押されて変位される。その結果、ロックレバー４１を支持するカバー部材１３が、図５に示すように、基準位置から開放側に少しだけ変位される。この点で、本実施形態の画像読取装置１１では、ロック装置４０により、カバー部材１３を基準位置よりも開放側に変位させる「カバー変位部」の一例が構成される。
【００５０】
なお、図５に示すカバー部材１３の位置を「開放位置」というものとする。この開放位置は、基準位置よりも少しだけ開放側の位置である。そして、このようにカバー部材１３が開放位置に位置する場合であっても、セット部１４にセットされている原稿ＭＳが自重によって筐体１２内に進入することが、カバー部材１３に支持されているガイド部材２７によって規制される。
【００５１】
こうしてカバー部材１３が基準位置から開放位置に変位されると、カバー部材１３に支持されている従動ローラー２２２，２３２，２４２が駆動ローラー２２１，２３１，２４１から離れる方向に少しだけ変位される。その結果、ローラー対２２〜２４による原稿ＭＳの挟持圧が低くなる。なお、図５に示す例では、従動ローラー２２２〜２４２と駆動ローラー２２１〜２４１とによる原稿ＭＳの挟持が解消されている。すなわち、挟持圧が「０（零）」となる。この点で、本実施形態の画像読取装置１１では、カバー変位部として機能するロック装置４０により、ローラー対２２〜２４を構成する２つのローラー２２１〜２４１，２２２〜２４２による原稿ＭＳの挟持圧を低くする「調整部」の一例が構成される。
【００５２】
次に、図６を参照し、画像読取装置１１の制御装置６０について説明する。
制御装置６０は、ＣＰＵ、ＲＯＭ及びＲＡＭなどで構成されるマイクロコンピューターと、各種のドライバー回路とを備えている。こうした制御装置６０は、ソフトウェア及びハードウェアのうち少なくとも一方で構成される機能部として、搬送制御部６１、搬送不良検出部６２、調整制御部６３、データ生成部６４及びデータ出力部６５を含んでいる。
【００５３】
搬送制御部６１は、搬送装置２０を制御する。すなわち、原稿ＭＳの搬送開始指示、すなわち原稿ＭＳの画像の読み取り指示が入力された場合、搬送制御部６１は、送出モーター２５を駆動させることにより、送り込みローラー２１を回転させる。これにより、セット部１４から１つの原稿ＭＳが筐体１２内に送り込まれる。そして、搬送制御部６１は、送り込みローラー２１の回転によって搬送される原稿ＭＳが、送り出しローラー対２２を構成する２つのローラー２２１，２２２によって挟持されるようになると、送出モーター２５の駆動を停止させる。
【００５４】
また、搬送制御部６１は、搬送モーター２６を駆動させることにより、送り出しローラー対２２、搬送ローラー対２３及び排出ローラー対２４の各ローラー２２１，２３１，２４１，２２２，２３２，２４２を回転させる。なお、搬送モーター２６の駆動開始のタイミングは、送出モーター２５の駆動開始のタイミングと同じであってもよいし、送出モーター２５の駆動開始のタイミングよりも後であってもよい。そして、搬送制御部６１は、原稿ＭＳの後端が排出ローラー対２４を通過したタイミング以降で搬送モーター２６の駆動を停止させる。
【００５５】
なお、この搬送制御部６１は、紙ジャムなどの原稿ＭＳの搬送不良を検出した旨が搬送不良検出部６２から入力されることがある。この場合、搬送制御部６１は、原稿ＭＳの搬送を中止する。ただし、原稿ＭＳの後端が読取装置３０を通過した後に、搬送不良を検出した旨が搬送不良検出部６２から入力された場合、搬送制御部６１は、原稿ＭＳの搬送を継続させる。すなわち、原稿ＭＳの後端が排出ローラー対２４を通過すると想定されているタイミングまで、搬送制御部６１は搬送モーター２６の駆動を継続する。しかし、複数の原稿ＭＳの画像を連続して読み取るに際し、一の原稿の後端が読取装置３０を通過した後に、搬送不良を検出した旨が搬送不良検出部６２から入力された場合、搬送制御部６１は、一の原稿の搬送を継続させるものの、次の原稿ＭＳの搬送を中止する。
【００５６】
また、画像の読み取り途中で原稿ＭＳの搬送不良が検出されたために原稿ＭＳの搬送及び画像の読み取りが中止され、その後、同一の原稿ＭＳの画像の再読み取りを行う場合、搬送制御部６１は、前回の画像の読み取り時よりも低速で原稿が搬送されるように各モーター２５，２６の駆動を制御する。この際、搬送制御部６１は、同一の原稿ＭＳの画像の再読み取りである旨と、原稿ＭＳの搬送速度に関する情報との双方をデータ生成部６４に出力する。
【００５７】
ここで、画像の読み取り途中で原稿ＭＳの搬送不良が検出されたために原稿ＭＳの搬送及び画像の読み取りが中止された場合で、その次の画像の読み取りが、同一原稿の画像の再読み取りであるか否かの判定方法の一例について説明する。例えば、次の画像の読み取りを行うに際し、その読み取りが、同一原稿の画像の再読み取りであるのか、別の原稿の画像の読み取りであるのかを、ユーザーに選択させる。こうしたユーザー操作に基づいた情報が制御装置６０に入力されることにより、搬送制御部６１は、同一原稿の画像の再読み取りが指示されているのか、別の原稿の画像の読み取りが指示されているのかを判断することができる。そして、搬送制御部６１は、同一原稿の画像の再読み取りが指示されているときには、前回の原稿搬送時よりも低速で原稿ＭＳを搬送させる。一方、搬送制御部６１は、別の原稿の画像の読み取りが指示されているときには、前回の原稿搬送時と同等の速度で原稿を搬送させる。
【００５８】
そして、複数の原稿ＭＳの画像を連続して読み取るに際し、一の原稿の画像の読み取りの最中に搬送不良が発生したため、一の原稿の画像の再読み取りを行い、同再読み取りの完了後に次の原稿の搬送を開始する場合、その原稿の搬送速度は、再読み取り時における一の原稿の搬送速度よりも大きくされる。すなわち、画像の再読み取り時にのみ原稿ＭＳが低速で搬送されることとなる。
【００５９】
搬送不良検出部６２は、搬送装置２０によって原稿ＭＳが搬送されている最中に、同原稿ＭＳの搬送不良を検出する。例えば、搬送不良検出部６２は、搬送モーター２６に流れる電流値Ｉ１を監視し、電流値Ｉ１が規定の不良判定電流値Ｉ１Ｔｈよりも大きいときに、原稿ＭＳの搬送不良を検出する。この不良判定電流値Ｉ１Ｔｈは、原稿ＭＳが正常に搬送されているときに搬送モーター２６に流れる電流値よりも大きい値に決定されている。そして、搬送不良検出部６２は、原稿ＭＳの搬送不良を検出すると、その旨を搬送制御部６１、調整制御部６３及びデータ生成部６４に出力する。
【００６０】
調整制御部６３は、筐体１２又はカバー部材１３に設けられている報知装置５０、及びロック装置４０を制御する。すなわち、調整制御部６３は、原稿ＭＳの後端が読取装置３０を通過していない状況下で、原稿ＭＳの搬送不良を検出した旨が搬送不良検出部６２から入力されたときには、その旨を報知装置５０を通じてユーザーに報知する。さらに、調整制御部６３は、ロック装置４０のアクチュエーター４３を制御し、カバー部材１３を基準位置から開放位置に変位させることにより、ローラー対２２〜２４を構成する２つのローラー２２１〜２４１，２２２〜２４２による原稿ＭＳの挟持圧を低くする。一方、調整制御部６３は、原稿ＭＳの後端が読取装置３０を通過している状況下で、原稿ＭＳの搬送不良を検出した旨が搬送不良検出部６２から入力されたときには、その旨を報知装置５０を通じてユーザーに報知するものの、ロック装置４０を作動させない。すなわち、調整制御部６３は、カバー部材１３を基準位置から変位させない。
【００６１】
データ生成部６４は、読取装置３０の各読取部３１，３２を制御するとともに、各読取部３１，３２が読み取った画像を取得する。そして、データ生成部６４は、読取部３１，３２が読み取った画像に関する画像データを生成し、この画像データをデータ出力部６５に出力する。この際に生成される画像データに基づく画像の解像度は、ユーザーによって選択することができる。
【００６２】
ここで、高解像度の画像に関する画像データがユーザーによって要求された場合、原稿ＭＳは、ユーザーが要求している解像度が高いほど低速で搬送される。しかし、上記のように画像の読み取り途中で原稿ＭＳの搬送不良が検出されたために原稿ＭＳの搬送及び画像の読み取りが中止され、その後、同一の原稿ＭＳの画像の再読み取りを行う場合、一の原稿は低速で搬送されるものの、生成される画像データに基づいた画像の解像度は、前回の画像の読み取り時と等しい解像度とされる。
【００６３】
データ出力部６５は、データ生成部６４で生成された画像データを外部装置に送信する。
次に、図７に示すフローチャートを参照し、原稿ＭＳの画像の読み取りを行う際の処理手順について説明する。
【００６４】
図７に示すように、セット部１４に原稿ＭＳがセットされている状態で画像の読み取り指示が制御装置６０に入力されると、搬送制御部６１による搬送装置２０の制御が開始され、通常速度での原稿ＭＳの搬送が開始される（ステップＳ１１）。なお、ここでいう「通常速度」とは、ユーザーが要求している画像の解像度と相関する原稿ＭＳの搬送速度のことである。すなわち、ユーザーが要求している解像度が高いほど原稿ＭＳが低速で搬送されることとなる。
【００６５】
このように原稿ＭＳが搬送されている状況下で、搬送不良検出部６２によりジャム検出処理が行われる（ステップＳ１２）。ジャム検出処理は、搬送している原稿ＭＳの搬送不良を検出するための処理であり、その具体的な処理手順については図８を用いて後で説明する。
【００６６】
そして、ジャム検出処理で、原稿ＭＳの搬送不良が検出されていない場合（ステップＳ１３：ＮＯ）、各読取部３１，３２による原稿ＭＳの画像の読み取りが実行される（ステップＳ１４）。次いで、各読取部３１，３２による原稿ＭＳの画像の読み取りが完了したか否かが判定される（ステップＳ１５）。
【００６７】
なお、読取部３１，３２による読み取り結果に基づいて原稿ＭＳの後端を検出することができる。すなわち、読取部３１，３２による読み取り結果に基づき、原稿ＭＳの後端が読取部３１，３２よりも搬送方向下流に位置するようになったか否かを判定することができる。そして、原稿ＭＳの後端が読取部３１，３２よりも搬送方向下流に位置するようになったときに、原稿ＭＳの画像の読み取りが完了したと判定することができる。
【００６８】
原稿ＭＳの画像の読み取りが未だ完了していない場合（ステップＳ１５：ＮＯ）、その処理が前述したステップＳ１２に移行され、画像の読み取りが継続される。一方、原稿ＭＳの画像の読み取りが既に完了している場合（ステップＳ１５：ＹＥＳ）、その処理が次のステップＳ１６に移行される。
【００６９】
このステップＳ１６では、上記ステップＳ１２と同様のジャム検出処理が行われる。そして、このジャム検出処理で、原稿ＭＳの搬送不良が検出されていない場合（ステップＳ１７：ＮＯ）、原稿ＭＳの排出部１５への排出が完了したか否かが判定される（ステップＳ１８）。原稿ＭＳの排出が未だ完了していない場合（ステップＳ１８：ＮＯ）、その処理が前述したステップＳ１６に移行され、原稿ＭＳを排出部１５に排出させるための搬送装置２０の駆動が継続される。
【００７０】
そして、原稿ＭＳの排出が既に完了している場合（ステップＳ１８：ＹＥＳ）、画像の読み取りを行うべき次の原稿ＭＳがあるか否かが判定される（ステップＳ１９）。次の原稿ＭＳがある場合（ステップＳ１９：ＹＥＳ）、その処理が前述したステップＳ１１に移行され、次の原稿ＭＳの搬送が開始される。一方、次の原稿ＭＳがない場合（ステップＳ１９：ＮＯ）、データ生成部６４によって生成された画像データがデータ出力部６５によって出力され（ステップＳ２０）、本処理が終了される。
【００７１】
その一方で、画像の読み取りが完了した原稿ＭＳを排出している最中のジャム検出処理で、原稿ＭＳの搬送不良が検出された場合（ステップＳ１７：ＹＥＳ）、その処理が次のステップＳ２１に移行される。このステップＳ２１において、報知装置５０によるエラー報知が開始される。そして、このようにエラー報知が行われる場合であっても、原稿ＭＳの排出処理が継続される。その後、この排出処理が完了されると、その処理が前述したステップＳ２０に移行され、画像データがデータ出力部６５から出力される。
【００７２】
また、原稿ＭＳを読取部３１，３２に向けて搬送している最中のジャム検出処理で、又は、読取部３１，３２による原稿ＭＳの画像の読み取りが行われている最中のジャム検出処理で、原稿ＭＳの搬送不良が検出されることがある（ステップＳ１３：ＹＥＳ）。この場合、その処理が次のステップＳ２２に移行される。
【００７３】
すなわち、ステップＳ２２において、搬送装置２０のモーター２５，２６の駆動停止が指示される。次いで、ロック装置４０を作動させることにより、カバー部材１３が基準位置から開放位置に変位される（ステップＳ２３）。これにより、ローラー対２２〜２４による原稿ＭＳの挟持圧が低下され、ローラー対２２〜２４によって原稿ＭＳが搬送方向下流に送り出されにくくなる。そして、原稿ＭＳの搬送不良が発生している旨が報知装置５０によってユーザーに報知される（ステップＳ２４）。
【００７４】
すると、ユーザーは、カバー部材１３を開放位置よりも開放側に回動させ、この状態で搬送不良に陥っている原稿ＭＳを筐体１２内から取り出す。そして、ユーザーは、カバー部材１３を基準位置に戻し、同原稿ＭＳをセット部１４に再びセットし、画像の再読み取りを画像読取装置１１に指示する。
【００７５】
続いて、搬送不良の検出によって画像の読み取りが中断された原稿ＭＳの画像の再読み取りが指示された場合（ステップＳ２５：ＹＥＳ）、その処理が次のステップＳ２６に移行され、原稿ＭＳの搬送が開始される。一方、画像の再読み取りが指示されない場合（ステップＳ２５：ＮＯ）、本処理が終了される。
【００７６】
ステップＳ２６において、前回の画像の読み取り時よりも低速での原稿ＭＳの搬送が開始される。すなわち、画像の再読み取り時の原稿ＭＳの搬送速度は、上記通常速度よりも小さくされる。これは、搬送不良によって原稿ＭＳがダメージを受けている可能性があるためである。そして、このように搬送されている原稿ＭＳの画像の読み取り、すなわち再読み取りが行われる（ステップＳ２７）。画像の読み取りが完了していない場合（ステップＳ２８：ＮＯ）、その処理が前述したステップＳ２７に移行され、再読み取りが継続される。
【００７７】
一方、画像の読み取りが完了した場合（ステップＳ２８：ＹＥＳ）、画像の解像度を変換するための変換処理がデータ生成部６４で実行される（ステップＳ２９）。
すなわち、読取部３１，３２によって取得される画像の解像度は、原稿ＭＳの搬送速度が小さいほど高くなる。そのため、再読み取りによって取得された画像の解像度は、ユーザーが所望している解像度よりも高いおそれがある。そこで、このステップＳ２９では、取得した画像の解像度を、ユーザーの所望している解像度まで低くし、同解像度の画像に関する画像データが生成される。
【００７８】
その後、画像の読み取り済みの原稿ＭＳが排出される（ステップＳ３０）。そして、次の原稿ＭＳがある場合（ステップＳ３１：ＹＥＳ）、その処理が前述したステップＳ１１に移行され、次の原稿ＭＳの搬送が開始される。この場合、次の原稿ＭＳは、通常速度で搬送される。一方、次の原稿ＭＳがない場合（ステップＳ３１：ＮＯ）、データ生成部６４によって生成された画像データがデータ出力部６５によって出力され（ステップＳ２０）、本処理が終了される。
【００７９】
次に、図８に示すフローチャートを参照し、上記ジャム検出処理について説明する。
図８に示すように、搬送モーター２６に流れている電流値Ｉ１が検出される（ステップＳ４１）。そして、検出した電流値Ｉ１が上記不良判定電流値Ｉ１Ｔｈよりも大きいか否かが判定される（ステップＳ４２）。電流値Ｉ１が不良判定電流値Ｉ１Ｔｈ以下である場合（ステップＳ４２：ＮＯ）、原稿ＭＳの搬送不良が発生していないため、ジャム検出処理が終了される。一方、電流値Ｉ１が不良判定電流値Ｉ１Ｔｈよりも大きい場合（ステップＳ４２：ＹＥＳ）、原稿ＭＳの搬送不良が検出され（ステップＳ４３）、ジャム検出処理が終了される。
【００８０】
以上、本実施形態の画像読取装置１１によれば、以下のような効果を得ることができる。
（１）画像を読取部３１，３２に読み取らせるべく原稿ＭＳが搬送されている最中のジャム検出処理（ステップＳ１２）で、原稿ＭＳの搬送不良が検出されたときには（ステップＳ１３：ＹＥＳ）、ロック装置４０が作動され、駆動ローラー２２１〜２４１と従動ローラー２２２〜２４２とによる原稿ＭＳの挟持圧が低くされる（ステップＳ２３）。これにより、搬送不良の検出後で各ローラー２２１〜２４１，２２２〜２４２の回転がしばらくの間継続されても、同ローラー２２１〜２４１，２２２〜２４２の回転力が原稿ＭＳに伝達されにくくなり、原稿ＭＳが搬送方向下流に送り出されにくくなる。その結果、搬送不良の検出後におけるローラー対２２〜２４による原稿ＭＳの送り出し量が少なくなり、搬送不良に伴って原稿ＭＳが受けるダメージが大きくなりにくい。したがって、搬送途中で原稿ＭＳの搬送不良が発生した際に同原稿ＭＳが受けるダメージの増大を抑制することができる。
【００８１】
（２）しかも、原稿ＭＳの搬送不良が検出されたときには（ステップＳ１３：ＹＥＳ）、駆動ローラー２２１〜２４１と従動ローラー２２２〜２４２とによる原稿ＭＳの挟持圧を低下させるだけではなく（ステップＳ２３）、各モーター２５，２６の駆動も停止させている（ステップＳ２２）。そのため、原稿ＭＳの搬送不良の検出後から比較的早い段階で、各ローラー２２１〜２４１，２２２〜２４２の回転を停止させることができる。したがって、搬送不良に伴って原稿ＭＳが受けるダメージの低減効果をさらに高めることができる。
【００８２】
（３）本実施形態の画像読取装置１１では、ローラー対２２〜２４を構成する２つローラーのうち一方のローラーがカバー部材１３に支持されている。そのため、カバー部材１３を基準位置から開放側に変位させることにより（ステップＳ２３）、駆動ローラー２２１〜２４１と従動ローラー２２２〜２４２とによる原稿ＭＳの挟持圧を低下させることができる。また、カバー部材１３を回動させる構成の他に、一方のローラーを他方のローラーから離れる方向に相対移動させる構成を別に設けなくてもよい。したがって、画像読取装置１１の構成の複雑化を抑制することもできる。
【００８３】
（４）具体的には、駆動ローラー２２１〜２４１ではなく従動ローラー２２２〜２４２がカバー部材１３に支持されている。そのため、駆動ローラー２２１〜２４１をカバー部材１３に支持させる構成と比較し、カバー部材１３に支持される部品を減らすことができる。その結果、カバー部材１３にかかる荷重の増大が抑制されるため、カバー部材１３を基準位置から開放側への変位を容易なものとすることができる。
【００８４】
（５）また、このようにカバー部材１３を変位させることにより、駆動ローラー２２１〜２４１と従動ローラー２２２〜２４２との挟持圧を可変させることができるため、開放位置からカバー部材１３を基準位置に戻すだけで挟持圧を元に戻すことができる。
【００８５】
（６）原稿ＭＳの搬送不良が発生すると、搬送モーター２６に加わる負荷が大きくなり、搬送モーター２６に流れる電流値Ｉ１が大きくなる。そこで、本実施形態の画像読取装置１１では、搬送モーター２６に流れる電流値Ｉ１を監視し、電流値Ｉ１が不良判定電流値Ｉ１Ｔｈよりも大きいときに（ステップＳ４２：ＹＥＳ）、原稿ＭＳの搬送不良が検出される（ステップＳ４３）。この場合、不良判定電流値Ｉ１Ｔｈが、搬送不良の発生していない定常時に搬送モーター２６に流れる電流値よりも大きい値に設定されているため、搬送途中の原稿ＭＳの搬送不良を検出することができる。
【００８６】
（７）原稿ＭＳの後端が読取部３１，３２よりも搬送方向下流に位置していることは、同原稿ＭＳの画像の読み取りが既に完了していることを意味している。そして、画像の読み取りが完了した原稿ＭＳは筐体１２外に排出するだけであり、搬送装置２０の駆動を停止させる意味合いは低い。具体的には、こうした状態では、原稿ＭＳを挟持しているローラー対は、排出ローラー対２４のみである。そのため、ローラー対２２〜２４を構成する各ローラーの回転が継続されても、原稿ＭＳの受けるダメージは大きくなりにくい。そこで、本実施形態の画像読取装置１１では、原稿ＭＳの後端が読取部３１，３２よりも搬送方向下流に位置する状況下（ステップＳ１５：ＹＥＳ）でのジャム検出処理で（ステップＳ１６）、原稿ＭＳの搬送不良が検出されたときには（ステップＳ１７：ＹＥＳ）、搬送装置２０の駆動、すなわち原稿ＭＳの排出処理が継続される。その結果、画像の読み取り済みの原稿ＭＳの不要な搬送停止を抑制することができる。
【００８７】
（８）先の原稿ＭＳの画像の読み取りが完了した後で、同先の原稿ＭＳの搬送不良が検出された場合、後続の原稿ＭＳの搬送をそのまま行うと、同後続の原稿ＭＳの搬送不良が発生し、同後続の原稿ＭＳがダメージを受けてしまうおそれがある。そこで、本実施形態の画像読取装置１１では、複数の原稿ＭＳの画像を連続して読取部３１，３２に読み取らせる場合、先の原稿ＭＳの後端が読取部３１，３２よりも搬送方向下流に位置している状況下で同先の原稿ＭＳの搬送不良が検出されたときには、搬送装置２０による後続の原稿ＭＳの搬送が中止される。また、エラー報知もまたユーザーに対して行われる（ステップＳ２１）。そのため、先の原稿ＭＳの画像の読み取りの完了後に、筐体１２の内部の状態をユーザーに確認させるための期間を提供することができる。そして、搬送経路上に問題がないことをユーザーに確認させた上で、又は、搬送経路上の問題を解消させた上で、後続の原稿ＭＳの画像の読み取りを開始させることができる。したがって、後続の原稿ＭＳの搬送時における搬送不良の発生を抑制することができ、同後続の原稿ＭＳがダメージを受ける事象を生じさせにくくすることができる。
【００８８】
（９）また、原稿ＭＳの搬送不良が検出され（ステップＳ１３：ＹＥＳ）、カバー部材１３を基準位置から開放位置に変位させても（ステップＳ２３）、セット部１４にセットされている原稿ＭＳが自重によって筐体１２内に進入することを、カバー部材１３に支持されているガイド部材２７によって抑制することができる。
【００８９】
（１０）なお、搬送不良の検出によって画像の読み取りが中断された原稿ＭＳはダメージを受けている可能性がある。また、原稿ＭＳを搬送するためのローラーの回転速度が大きいほど、駆動ローラー２２１〜２４１と従動ローラー２２２〜２４２とによって挟持されたときに原稿ＭＳに作用する負荷が大きくなりやすい。そこで、本実施形態の画像読取装置１１では、このようにダメージを受けている可能性のある原稿ＭＳの画像の再読み取りを行うときには、前回の画像の読み取り時よりも低速で原稿ＭＳが搬送される（ステップＳ２６）。これにより、画像の再読み取り時では原稿ＭＳがダメージを受けにくくすることができる。
【００９０】
（１１）そして、このように低速で搬送されている原稿ＭＳの画像の読み取りを行い、生成される画像データに基づいた画像の解像度は、搬送不良が発生した際に生成されるべき画像データに基づいた画像の解像度と等しくなる。これにより、ユーザーが所望する解像度の画像に関する画像データをユーザーに提供することができる。
【００９１】
（１２）また、画像の再読み取りが完了し、次の原稿ＭＳの画像読み取りを行う場合には、原稿ＭＳの搬送速度が元に戻される。すなわち、搬送不良が発生することなく正常に原稿ＭＳを搬送可能と判断されるときには、その搬送速度が小さくされない。したがって、画像読取装置１１のスループットの低下を抑制することができる。
【００９２】
（第２の実施形態）
次に、画像読取装置１１を具体化した第２の実施形態を図９及び図１０に従って説明する。なお、第２の実施形態では、前回の画像読み取り時に搬送不良が検出されたために画像の再読み取りが行われる際における画像データの生成方法が第１の実施形態と異なっている。したがって、以下の説明においては、第１の実施形態と相違する部分について主に説明するものとし、第１の実施形態と同一の部材構成には同一符号を付して重複説明を省略するものとする。
【００９３】
図９に示すフローチャートを参照し、原稿ＭＳの画像の読み取りを行う際の処理手順について説明する。なお、図９には、本実施形態の画像読取装置１１で原稿ＭＳの画像の読み取りを行う際の処理手順の一部が図示されている。
【００９４】
原稿ＭＳを読取部３１，３２に向けて搬送している最中で、又は、読取部３１，３２による原稿ＭＳの画像の読み取りが行われている最中で、原稿ＭＳの搬送不良が検出されることがある（ステップＳ１３：ＹＥＳ）。この場合、その処理が次のステップＳ５１に移行される。
【００９５】
図９に示すように、ステップＳ５１において、搬送装置２０のモーター２５，２６の駆動停止が指示される。次いで、ロック装置４０を駆動させることにより、カバー部材１３が基準位置から開放位置に変位される（ステップＳ５２）。これにより、ローラー対２２〜２４による原稿ＭＳの挟持圧が低下され、ローラー対２２〜２４によって原稿ＭＳが搬送方向下流に送り出されにくくなる。そして、原稿ＭＳの搬送不良が発生している旨が報知装置５０によってユーザーに報知される（ステップＳ５３）。
【００９６】
すると、ユーザーは、カバー部材１３を開放位置よりも開放側に回動させ、この状態で搬送不良に陥っている原稿ＭＳを筐体１２内から取り出す。そして、ユーザーは、カバー部材１３を基準位置に戻し、同原稿ＭＳをセット部１４に再びセットし、画像の再読み取りを画像読取装置１１に指示する。
【００９７】
続いて、搬送不良の検出によって画像の読み取りが中断された原稿ＭＳの画像の再読み取りが指示された場合（ステップＳ５４：ＹＥＳ）、その処理が次のステップＳ５５に移行され、原稿ＭＳの搬送が開始される。一方、画像の再読み取りが指示されない場合（ステップＳ５４：ＮＯ）、本処理が終了される。
【００９８】
ステップＳ５５において、前回の画像の読み取り時よりも低速での原稿ＭＳの搬送が開始される。すなわち、画像の再読み取り時の原稿ＭＳの搬送速度は、上記通常速度よりも小さくされる。これは、搬送不良によって原稿ＭＳがダメージを受けている可能性があるためである。そして、このように搬送されている原稿ＭＳの画像の読み取り、すなわち再読み取りが行われる（ステップＳ５６）。画像の読み取りが完了していない場合（ステップＳ５７：ＮＯ）、その処理が前述したステップＳ５６に移行され、再読み取りが継続される。
【００９９】
一方、画像の読み取りが完了した場合（ステップＳ５７：ＹＥＳ）、画像の解像度を変換するための変換処理がデータ生成部６４で実行される（ステップＳ５８）。
すなわち、読取部３１，３２によって取得される画像の解像度は、原稿ＭＳの搬送速度が小さいほど高くなる。そのため、再読み取りによって取得された画像の解像度は、ユーザーが所望している解像度よりも高いおそれがある。そこで、このステップＳ５８では、取得した画像の解像度を、ユーザーの所望している解像度まで低くし、同解像度の画像に関する画像データが生成される。
【０１００】
続いて、前回の画像の読み取り時に途中まで取得された画像と、今回の再読み取りによって取得された画像とを合成した画像に関する画像データを生成する合成処理がデータ生成部６４によって行われる（ステップＳ５９）。
【０１０１】
ここで、図１０を参照し、合成処理の一例を説明する。
図１０（ａ）に実線で示す部分が、前回の読み取り時に途中まで取得された画像Ａ１であり、図１０（ａ）に破線で示す部分が、原稿ＭＳの搬送不良に起因して前回の読み取り時には取得できなかった部分である。
【０１０２】
これに対し、図１０（ｂ）は、今回の再読み取り時に取得された画像Ａ２である。上述したように、原稿ＭＳは、前回の画像の読み取り時での搬送不良によってダメージを受けている可能性がある。このようにダメージを原稿ＭＳが受けている場合、同原稿ＭＳの画像を読み取っても、図１０（ｂ）に示すように、取得された画像Ａ２には乱れが生じているおそれがある。
【０１０３】
そこで、図１０（ｃ）に示すように、図１０（ａ）に示す画像Ａ１で欠けている部分（破線で示す部分）に相当する部分が、図１０（ｂ）に示す画像Ａ２から抽出される。このように画像Ａ２から抽出された部分の画像を「抽出画像Ａ３」というものとする。そして、図１０（ｄ）に示すように、図１０（ａ）に示す画像Ａ１の欠けている部分に抽出画像Ａ３を割り当てることにより、合成画像Ａ４を生成することができる。このように生成した合成画像Ａ４に基づいた画像データが生成される。
【０１０４】
図９に戻り、上記の合成処理が完了されると、画像の読み取り済みの原稿ＭＳが排出される（ステップＳ６０）。そして、次の原稿ＭＳがある場合（ステップＳ６１：ＹＥＳ）、その処理が前述した上記ステップＳ１１に移行され、次の原稿ＭＳの搬送が開始される。この場合、次の原稿ＭＳは、通常速度で搬送される。一方、次の原稿ＭＳがない場合（ステップＳ６１：ＮＯ）、上記の合成処理で合成した画像データがデータ出力部６５によって出力され（ステップＳ６２）、本処理が終了される。
【０１０５】
以上、本実施形態の画像読取装置１１によれば、上記第１の実施形態における効果（１）〜（１０）及び（１２）と同等の効果に加え、以下に示す効果をさらに得ることができる。
【０１０６】
（１３）ダメージを受けていない原稿ＭＳの画像を読み取ることによって生成された画像データのほうが、ダメージを受けている原稿ＭＳの画像を読み取ることによって生成された画像データよりも精度が高い可能性がある。そこで、本実施形態の画像読取装置１１では、先の画像の読み取りによって途中まで読み取った画像Ａ１と、画像の再読み取りによって読み取った画像Ａ２の一部（すなわち、抽出画像Ａ３）とを合成し、この合成した画像である合成画像Ａ４に関する画像データをユーザーに提供するようにした。すなわち、先の読み取りで取得された画像Ａ１で欠けている部分を、再読み取りで取得された画像Ａ２で穴埋めするような形で合成画像Ａ４が生成され、同合成画像Ａ４に関する画像データが出力される。これにより、ダメージを受けている原稿ＭＳの画像Ａ２に関する画像データをユーザーに提供する場合よりも、精度の高い画像データをユーザーに提供することが可能となる。
【０１０７】
なお、上記各実施形態は以下のように変更してもよい。
・複数の原稿ＭＳの画像を連続して読み取るに際し、一の原稿ＭＳの搬送時に搬送不良が発生し、一の原稿ＭＳの画像の再読み取り時に低速で一の原稿ＭＳを搬送した場合、以降の原稿ＭＳも低速のままで搬送するようにしてもよい。
【０１０８】
・第１の実施形態において、画像の再読み取り時には、その際の搬送速度に応じた解像度の画像に関する画像データを生成して出力するようにしてもよい。この場合、高解像度の画像に関する画像データがユーザーに提供されるようになる。
【０１０９】
・画像の再読み取り時の原稿ＭＳの搬送速度を、上記の通常速度（図７のステップＳ１１参照）と等しい速度としてもよい。この場合、画像の解像度の変換処理を行わなくても、ユーザーの所望する解像度の画像に関する画像データを、同ユーザーに提供することができる。
【０１１０】
・画像の再読み取りを行うに際し、原稿ＭＳが低速で搬送されている場合、解像度の低い画像（すなわち、通常速度に見合った解像度の画像）を取得できるように、読取部３１，３２を制御するようにしてもよい。この場合、ステップＳ２９，Ｓ５８の変換処理を省略することができる。
【０１１１】
・第２の実施形態では、画像の再読み取り時に原稿ＭＳの画像を全て読み取った上で、合成処理を行っている。しかし、画像の再読み取り時には、前回の画像の読み取り時で既に読み取っている画像の部分の読み取りを行わないようにしてもよい。この場合、画像の再読み取り時には、図１０（ｃ）に示す画像の画像データが生成される。そして、この図１０（ｃ）に示す画像と、図１０（ａ）に示す画像とを合成させるようにしてもよい。
【０１１２】
・カバー部材１３が基準位置よりも開放側に変位しても、セット部１４にセットされている原稿ＭＳの自重による筐体１２内への進入を規制するための機構を筐体１２側に設けてもよい。この場合、原稿ＭＳの搬送不良が検出されたときには、カバー部材１３を上記開放位置よりも開放側に変位させるようにしてもよい。例えば、ユーザーが手を上部開口１２１を通じて筐体１２内に進入させることができる程度までカバー部材１３を変位させるようにしてもよい。
【０１１３】
・セット部１４は、搬送方向における下流端と上流端との上下方向位置がほぼ同一となるように筐体１２に取り付けられているものであってもよい。こうした場合、原稿ＭＳの搬送不良が検出されたときには、カバー部材１３を上記開放位置よりも開放側に変位させるようにしてもよい。例えば、ユーザーが手を上部開口１２１を通じて筐体１２内に進入させることができる程度までカバー部材１３を変位させるようにしてもよい。
【０１１４】
・原稿ＭＳの後端が読取部３１，３２よりも搬送方向下流に位置するようになってからは、ジャム検出処理を実施しないようにしてもよい。こうした場合であっても上記（７）と同等の効果を得ることができる。
【０１１５】
・原稿ＭＳの搬送方向における読取部３１，３２と排出ローラー対２４との間に、原稿ＭＳの端部を検出するためのセンサーを配置するようにしてもよい。この場合、同センサーによって原稿ＭＳの後端が検出されたときに、同原稿ＭＳの画像の読み取りが完了したと判断することができる。
【０１１６】
・搬送されている原稿ＭＳの搬送不良を検出することが可能であれば、搬送モーター２６の電流値Ｉ１を監視する方法以外の他の方法を採用してもよい。例えば、搬送経路に沿って搬送される原稿ＭＳの前端を検出するセンサーを設け、同センサーによって原稿ＭＳの前端が検出されるタイミングと、搬送モーター２６の駆動量との関係に基づき、搬送不良を検出するようにしてもよい。
【０１１７】
・ローラー対２２〜２４の従動ローラー２２２〜２４２ではなく、駆動ローラー２２１〜２４１をカバー部材１３に回転可能に支持させるようにしてもよい。
・カバー変位部は、カバー部材１３を基準位置から開放位置に移動させ、駆動ローラー２２１〜２４１と従動ローラー２２２〜２４２とによる原稿ＭＳの挟持圧を低下させることができるのであれば、上記ロック装置４０とは異なる別の構成であってもよい。
【０１１８】
・ローラー対２２〜２４の駆動ローラー２２１〜２４１を従動ローラー２２２〜２４２から相対的に離れる方向に変位させる調整部を、カバー部材１３を回動させるロック装置４０とは別に設けてもよい。この場合、原稿ＭＳの搬送不良が検出されたときには、カバー部材１３を基準位置から開放側に変位させなくてもよい。
【０１１９】
なお、こうした調整部は、駆動ローラー２２１〜２４１と従動ローラー２２２〜２４２との挟持圧を低くするのであれば、駆動ローラー２２１〜２４１のみを変位させる構成であってもよいし、従動ローラー２２２〜２４２のみを変位させる構成であってもよい。もちろん、同調整部は、駆動ローラー２２１〜２４１と従動ローラー２２２〜２４２との双方を変位させる構成であってもよい。
【０１２０】
また、このように調整部をロック装置とは別に設ける場合、ローラー対の一方のローラーをカバー部材１３に支持させなくてもよい。
・原稿ＭＳの搬送不良が検出されたときに、駆動ローラー２２１〜２４１と従動ローラー２２２〜２４２との挟持圧を低くすることができるのであれば、駆動ローラー２２１〜２４１を従動ローラー２２２〜２４２から相対的に離間させてもよい。また、原稿ＭＳの挟持圧が低くなるのであれば、駆動ローラー２２１〜２４１と従動ローラー２２２〜２４２とによる原稿ＭＳの挟持を継続させるようにしてもよい。
【０１２１】
・読取装置３０は、第１の読取部３１及び第２の読取部３２の何れか一方のみを備える構成であってもよい。
・搬送装置２０は、送出モーター２５を備えない構成であってもよい。この場合、搬送モーター２６の駆動によって送り込みローラー２１を回転させるようにしてもよい。
【０１２２】
・画像読取装置を、原稿の画像に関する画像データを生成して外部装置に出力する装置であれば、ファクシミリ装置などの他の装置に具体化してもよい。
【符号の説明】
【０１２３】
１１…画像読取装置、１２…筐体、１２１…上部開口、１３…カバー部材、１４…セット部、２０…搬送部としての搬送装置、２２〜２４…ローラー対、２２１〜２４１…駆動ローラー、２２２〜２４２…従動ローラー、２５，２６…動力源としてのモーター、３１，３２…読取部、４０…調整部の一例であるロック装置（カバー変位部の一例）、６１…搬送制御部、６２…搬送不良検出部、６３…調整制御部、６４…データ生成部、１００…載置面、ＭＳ…原稿、Ｉ１…電流値、Ｉ１Ｔｈ…不良判定電流値。
【図１】
2016149676.tif 000003
【図２】
2016149676.tif 000004
【図３】
2016149676.tif 000005
【図４】
2016149676.tif 000006
【図５】
2016149676.tif 000007
【図６】
2016149676.tif 000008
【図７】
2016149676.tif 000009
【図８】
2016149676.tif 000010
【図９】
2016149676.tif 000011
【図１０】
2016149676.tif 000012